【手続補正書】
【提出日】平成24年8月13日(2012.8.13)
【手続補正１】
【補正対象書類名】特許請求の範囲
【補正対象項目名】全文
【補正方法】変更
【補正の内容】
【特許請求の範囲】
【請求項１】
上センサ組立体と、有価紙葉を搬送する搬送通路を介して上センサ組立体に対向して配置される下センサ組立体とを備え、
上センサ組立体は、複数の上リードを有する上配線基板と、上配線基板上に表面実装されかつ対応する上リードに電気的に接続される２個の端子を有する上発光素子と、上配線基板上に表面実装されかつ対応する上リードに電気的に接続される２個の端子を有する上受光素子とを備え、
下センサ組立体は、複数の下リードを有する下配線基板と、下配線基板上に表面実装されかつ対応する下リードに電気的に接続される２個の端子を有する下発光素子と、下配線基板上に表面実装されかつ対応する下リードに電気的に接続される２個の端子を有する下受光素子とを備え、
上受光素子は、下発光素子から照射されて搬送通路を通る有価紙葉を透過する光を受光し、
下受光素子は、上発光素子から照射されて搬送通路を通る有価紙葉を透過する光を受光することを特徴とする紙葉類鑑別用光学センサ装置。
【請求項２】
上センサ組立体は、上配線基板上に配置される上ブラケットと、上発光素子及び上受光素子に対向して上ブラケット上に支持される上非球面レンズとを備え、
下センサ組立体は、下配線基板上に配置される下ブラケットと、下発光素子及び下受光素子に対向して下ブラケット上に支持される下非球面レンズとを備える請求項１に記載の紙葉類鑑別用光学センサ装置。
【請求項３】
上発光素子から照射されて紙幣を透過する光を受光する下受光素子の第２の配列直線に沿う受光面の長さは、上発光素子の第１の配列直線に沿う発光面の長さと同一か又はこれより大きく、
下発光素子から照射されて紙幣を透過する光を受光する上受光素子の第１の配列直線に沿う受光面の長さは、下発光素子の第２の配列直線に沿う発光面の長さと同一か又はこれより大きい請求項１に記載の紙葉類鑑別用光学センサ装置。
【請求項４】
上センサ組立体と、有価紙葉を搬送する搬送通路を介して上センサ組立体に対向して配置される下センサ組立体とを備え、
上センサ組立体は、複数の上リードを有する上配線基板と、上配線基板上に個別に表面実装されかつ対応する上リードに電気的に接続される２個の端子をそれぞれ有する第１及び第２の上発光素子と、上配線基板上に表面実装されかつ対応する上リードに電気的に接続される２個の端子を有する上受光素子とを備え、
下センサ組立体は、複数の下リードを有する下配線基板と、下配線基板上に個別に表面実装されかつ対応する下リードに電気的に接続される２個の端子をそれぞれ有する第１及び第２の下発光素子と、下配線基板上に表面実装されかつ対応する下リードに電気的に接続される２個の端子を有する下受光素子とを備え、
上受光素子は、第１及び第２の下発光素子から照射されて搬送通路を通る有価紙葉を透過する光を受光し、
下受光素子は、第１及び第２の上発光素子から照射されて搬送通路を通る有価紙葉を透過する光を受光することを特徴とする紙葉類鑑別用光学センサ装置。
【請求項５】
上センサ組立体は、上配線基板上に配置される上ブラケットと、第１及び第２の上発光素子及び上受光素子に対向して上ブラケット上に支持される上非球面レンズとを備え、
下センサ組立体は、下配線基板上に配置される下ブラケットと、第１及び第２の下発光素子及び下受光素子に対向して下ブラケット上に支持される下非球面レンズとを備える請求項４に記載の紙葉類鑑別用光学センサ装置。
【請求項６】
第１及び第２の上発光素子と第１及び第２の下発光素子との互いに点対象位置に配置される発光素子は、同一波長の光を発生する請求項４に記載の紙葉類鑑別用光学センサ装置。
【請求項７】
上センサ組立体と、有価紙葉を搬送する搬送通路を介して上センサ組立体に対向して配置される下センサ組立体とを備え、
上センサ組立体は、複数の上リードを有する上配線基板と、上配線基板上に個別に表面実装されかつ対応する上リードに電気的に接続される２個の端子をそれぞれ有する第１、第２及び第３の上発光素子と、上配線基板上に表面実装されかつ対応する上リードに電気的に接続される２個の端子を有する上受光素子とを備え、
下センサ組立体は、複数の下リードを有する下配線基板と、下配線基板上に個別に表面実装されかつ対応する下リードに電気的に接続される２個の端子をそれぞれ有する第１、第２及び第３の下発光素子と、下配線基板上に表面実装されかつ対応する下リードに電気的に接続される２個の端子を有する下受光素子とを備え、
上受光素子は、第１、第２及び第３の下発光素子から照射されて搬送通路を通る有価紙葉を透過する光を受光し、
下受光素子は、第１、第２及び第３の上発光素子から照射されて搬送通路を通る有価紙葉を透過する光を受光することを特徴とする紙葉類鑑別用光学センサ装置。
【請求項８】
上センサ組立体は、上配線基板上に配置される上ブラケットと、第１、第２及び第３の上発光素子並びに上受光素子に対向して上ブラケット上に支持される上非球面レンズとを備え、
下センサ組立体は、下配線基板上に配置される下ブラケットと、第１、第２及び第３の下発光素子並びに下受光素子に対向して下ブラケット上に支持される下非球面レンズとを備える請求項７に記載の紙葉類鑑別用光学センサ装置。
【請求項９】
第１、第２及び第３の上発光素子と第１、第２及び第３の下発光素子との互いに点対象位置に配置される発光素子は、同一波長の光を発生する請求項７に記載の紙葉類鑑別用光学センサ装置。
【請求項１０】
上センサ組立体と、有価紙葉を搬送する搬送通路を介して上センサ組立体に対向して配置される下センサ組立体とを備え、
上センサ組立体は、複数の上リードを有する上配線基板と、上配線基板上に個別に表面実装されかつ対応する上リードに電気的に接続される２個の端子をそれぞれ有する第１、第２、第３及び第４の上発光素子と、上配線基板上に表面実装されかつ対応する上リードに電気的に接続される２個の端子を有する上受光素子とを備え、
下センサ組立体は、複数の下リードを有する下配線基板と、下配線基板上に個別に表面実装されかつ対応する下リードに電気的に接続される２個の端子をそれぞれ有する第１、第２、第３及び第４の下発光素子と、下配線基板上に表面実装されかつ対応する下リードに電気的に接続される２個の端子を有する下受光素子とを備え、
上受光素子は、第１、第２、第３及び第４の下発光素子から照射されて搬送通路を通る有価紙葉を透過する光を受光し、
下受光素子は、第１、第２、第３及び第４の上発光素子から照射されて搬送通路を通る有価紙葉を透過する光を受光することを特徴とする紙葉類鑑別用光学センサ装置。
【請求項１１】
上センサ組立体は、上配線基板上に配置される上ブラケットと、第１、第２、第３及び第４の上発光素子並びに上受光素子に対向して上ブラケット上に支持される上非球面レンズとを備え、
下センサ組立体は、下配線基板上に配置される下ブラケットと、第１、第２、第３及び第４の下発光素子並びに下受光素子に対向して下ブラケット上に支持される下非球面レンズとを備える請求項１０に記載の紙葉類鑑別用光学センサ装置。
【請求項１２】
第１、第２、第３及び第４の上発光素子と第１、第２、第３及び第４の下発光素子との互いに点対象位置に配置される発光素子は、同一波長の光を発生する請求項１０に記載の紙葉類鑑別用光学センサ装置。
【請求項１３】
上センサ組立体と、有価紙葉を搬送する搬送通路を介して上センサ組立体に対向して配置される下センサ組立体とを備え、
上センサ組立体は、複数の上リードを有する上配線基板と、上配線基板上に個別に表面実装されかつ対応する上リードに電気的に接続される２個の端子をそれぞれ有する第１、第２、第３及び第４の上発光素子と、上配線基板上に表面実装されかつ対応する上リードに電気的に接続される２個の端子を有する上受光素子とを備え、
下センサ組立体は、複数の下リードを有する下配線基板と、下配線基板上に個別に表面実装されかつ対応する下リードに電気的に接続される２個の端子をそれぞれ有する第１、第２、第３及び第４の下発光素子と、下配線基板上に表面実装されかつ対応する下リードに電気的に接続される２個の端子を有する下受光素子とを備え、
上受光素子は、第１、第２及び第３の下発光素子から照射されて搬送通路を通る有価紙葉を透過する光と、第４の上発光素子から照射されて搬送通路を通る有価紙葉に反射する光とを受光し、
下受光素子は、第１、第２及び第３の上発光素子から照射されて搬送通路を通る有価紙葉を透過する光と、第４の下発光素子から照射されて搬送通路を通る有価紙葉に反射する光とを受光することを特徴とする紙葉類鑑別用光学センサ装置。
【請求項１４】
上受光素子は、第１、第２及び第３の上発光素子から選択される１つの発光素子から照射されて搬送通路を通る有価紙葉に反射する光と、第４の上発光素子から照射されて搬送通路を通る有価紙葉に反射する光とを受光し、
第１、第２及び第３の上発光素子から選択される１つの発光素子と、第４の上発光素子とは、同一波長の光を発生し、
下受光素子は、第１、第２及び第３の下発光素子から選択される１つの発光素子から照射されて搬送通路を通る有価紙葉に反射する光と、第４の下発光素子から照射されて搬送通路を通る有価紙葉に反射する光とを受光し、
第１、第２及び第３の下発光素子から選択される１つの発光素子と、第４の下発光素子とは、同一波長の光を発生する請求項１３に記載の紙葉類鑑別用光学センサ装置。
【請求項１５】
複数の発光用電極体、受光用電極体及び発光用電極体と受光用電極体のそれぞれに接続される複数のリードを有する配線基板と、配線基板の同一又は異なる発光用電極体上にそれぞれ表面実装されるそれぞれ２個の端子を有する少なくとも第１及び第２の発光素子と、２個の端子を有する受光素子と、配線基板上に配置されるブラケットと、第１及び第２の発光素子に対向してブラケット上に支持される第１の非球面レンズと、受光素子に対向して配置される第２の非球面レンズと、第１及び第２の発光素子と非球面レンズとの間に形成される光拡散室とを備えることを特徴とする紙葉類鑑別用光学センサ装置。
【手続補正２】
【補正対象書類名】明細書
【補正対象項目名】００１７
【補正方法】変更
【補正の内容】
【００１７】
十発光受光素子を有する本発明の紙葉類鑑別用光学センサ装置の第２の実施の形態では、上記第１の実施の形態と同様に、紙葉類鑑別用光学センサ装置の透過光量パターンの検出精度を向上することができる。第１、第２及び第３の下発光素子(31,32,33)からの透過光を上受光素子(37)が受光し、第１、第２及び第３の上発光素子(21,22,23)からの透過光を下受光素子(38)が受光するので、透過光量パターン数が増加し、有価紙葉(50)の真偽を高精度に鑑別できと共に、第４の上発光素子(24)からの反射光を上受光素子(37)が受光し、第４の下発光素子(34)からの反射光を下受光素子(38)が受光するので、有価紙葉(50)の金種を確実に識別することができる。
本発明による紙葉類鑑別用光学センサ装置は、複数の発光用電極体(71)、受光用電極体(81)及び発光用電極体(71)と受光用電極体(81)のそれぞれに接続される複数のリード(61)を有する配線基板(11)と、配線基板(11)の同一又は異なる発光用電極体(71)上にそれぞれ表面実装されるそれぞれ２個の端子を有する少なくとも第１及び第２の発光素子(21,22)と、２個の端子を有する受光素子(37)と、配線基板(11)上に配置されるブラケット(41)と、第１及び第２の発光素子(21,22)に対向してブラケット(41)上に支持される第１の非球面レンズ(51)と、受光素子(37)に対向して配置される第２の非球面レンズ(52)と、第１及び第２の発光素子(21,22)と第１の非球面レンズ(51)との間に形成される光拡散室(53)とを備える。
第１及び第２の発光素子(21,22)を点灯すると、第１及び第２の発光素子(21,22)の各光は、光拡散室(53)内で拡散した後に、第１の非球面レンズ(51)を透過して紙葉類上で反射する。第１の非球面レンズ(51)を透過する光は、ほぼ矩形断面又は楕円断面の線状光線になるため、第１及び第２の発光素子(21,22)の実装位置の相違を補償して、第１及び第２の発光素子(21,22)を配線基板(11)上の同一位置に固着したとみなすことができる。書面上で反射した光は、第１の非球面レンズ(51)を通じて受光素子(37)で受光することができる。
【手続補正３】
【補正対象書類名】図面
【補正対象項目名】図３
【補正方法】変更
【補正の内容】
【図３】
2011043926.tif 000001
【手続補正４】
【補正対象書類名】図面
【補正対象項目名】図１４
【補正方法】変更
【補正の内容】
【図１４】
2011043926.tif 000002
【手続補正５】
【補正対象書類名】図面
【補正対象項目名】図１８
【補正方法】変更
【補正の内容】
【図１８】
2011043926.tif 000003